(57)【要約】      （修正有）【課題】本発明は、大型化することなく、カードの飛び出しを抑制する。【解決手段】カードコネクタは、ボディ１００、スライダ、第１当接部４００及び付勢部３００を備えている。ボディ１００のスロット１１０はカードＭがＹ−Ｙ’方向に挿脱可能である。ボディ１００の移動路１２０はスロット１１０の隣に設けられている。スライダは移動路１２０内の第１位置と第２位置との間をスライド自在である。スライダの係合部２２０はカードＭに係合可能である。第１当接部４００は第２位置のスライダ２００にＹ方向側から当接する。付勢部３００は第１位置のスライダをＹ方向に移動させる付勢力を付与する。付勢部３００は、スライダ２００が第１当接部４００に当接する時に、付勢力が係合部２２０をＸ’方向へ移動させるようにスライダに対して作用する構成となっている。【選択図】図２Ａ
2017126424.tif 000002
【特許請求の範囲】
【請求項１】
カードが第１方向に挿脱可能なスロット及び前記スロットの前記第１方向に交差する第２方向の一方の隣に設けられた移動路と有するボディと、
少なくとも前記ボディの前記移動路内の第１位置と前記第１位置よりも前記第１方向の一方に位置する第２位置との間をスライド自在となるように、当該移動路内に設けられたスライダであって、前記カードの係合凹部に前記第２方向の一方側から係合可能な係合部を有する前記スライダと、
前記スライダが前記第２位置に位置するときに、当該スライダに前記第１方向の一方側から当接するように配置された第１当接部と、
前記第１位置に位置する前記スライダに対し、当該スライダを前記第１方向の一方に移動させる付勢力を付与する付勢部とを備えており、
前記付勢部は、前記スライダが前記第１当接部に当接するときに、前記付勢力が前記係合部を前記第２方向の他方へ移動させるように当該スライダに対して作用する構成となっているカードコネクタ。
【請求項２】
請求項１記載のカードコネクタにおいて、
前記付勢部の前記付勢力は、前記スライダに対して前記第１方向の一方に各々付勢する第１付勢力及び第２付勢力を含んでおり、
前記スライダは、前記第１付勢力が付与される第１部と、前記第２付勢力が付与される第２部とを更に有しており、
前記第２部は、前記第１部よりも前記第２方向の他方側に位置しており、
前記付勢部は、前記第２付勢力が前記第１付勢力よりも小さい構成であるカードコネクタ。
【請求項３】
請求項２記載のカードコネクタにおいて、
前記付勢部は、前記スライダを押圧する前記第１方向の一方の先端部を有しており、
前記先端部は、前記第２方向の一方の第１端部と、前記第２方向の他方の第２端部とを有しており、前記第１方向において前記第１端部が前記第２端部よりも圧縮されているカードコネクタ。
【請求項４】
請求項３記載のカードコネクタにおいて、
前記スライダは、傾斜面を更に有しており、
前記傾斜面は、前記第１方向の一方及び前記第２方向の他方の成分を含む方向に傾斜しており、且つ前記第１部及び前記第２部を有しており、
前記付勢部の前記先端部が、前記スライダの前記傾斜面に押し付けられ、前記第１方向において前記第１端部が前記第２端部よりも圧縮されているカードコネクタ。
【請求項５】
請求項１記載のカードコネクタにおいて、
前記スライダは、前記第１当接部に当接可能な第２当接部を有しており、
前記付勢部は、前記第２当接部よりも前記第２方向の一方側で、前記スライダを前記第１方向の一方へ付勢するようになっており、
前記付勢部によって前記スライダにかかる前記第１方向の一方への第１荷重が、前記スライダの前記第２当接部が前記第１当接部に当接するときに当該スライダにかかる前記第１方向の他方への第２荷重よりも大きいカードコネクタ。
【請求項６】
請求項５記載のカードコネクタにおいて、
前記スライダは、傾斜面又は湾曲面を更に有しており、
前記傾斜面は、前記第１方向の一方及び前記第２方向の他方の成分を含む方向に傾斜しており、
前記湾曲面は、前記第１方向の一方及び前記第２方向の他方の成分を含む方向に湾曲しており、
前記付勢部は、前記第２当接部よりも前記第２方向の一方側で、前記傾斜面又は前記湾曲面の前記第２方向の一方の端部を前記第１方向の一方へ付勢するようになっているカードコネクタ。
【請求項７】
請求項５又は６記載のカードコネクタにおいて、
前記付勢部は、前記第１方向の一方の先端面を有しており、
前記先端面が、前記第１方向の一方及び前記第２方向の一方の成分を含む方向に傾斜又は湾曲しており、当該先端面の前記第２方向の一方の端部が、前記第２当接部よりも前記第２方向の一方側で、前記スライダを前記第１方向の一方へ付勢するようになっているカードコネクタ。
【請求項８】
請求項１記載のカードコネクタにおいて、
前記スライダは、前記第１当接部に当接可能な第２当接部を有しており、
前記スライダは、収容孔を更に有しており、
前記付勢部は、前記第１方向の一方の先端部を有しており、
少なくとも前記先端部が、前記スライダの前記収容孔に収容され且つ前記第１方向の一方及び前記第２方向の他方の成分を含む方向に湾曲しており、前記先端部の先端面の略中心が、前記第２当接部よりも前記第２方向の一方側に位置しており、
前記付勢部によって前記スライダにかかる荷重は、前記第１方向の一方への第１分力と、前記第２方向の他方への第２分力とを含み、
前記第１分力が、前記スライダの前記第２当接部が前記第１当接部に当接するときに当該スライダにかかる前記第１方向の他方への第３荷重よりも大きいカードコネクタ。
【請求項９】
カードが第１方向に挿脱可能なスロット及び前記スロットの前記第１方向に交差する第２方向の一方の隣に設けられた移動路と有するボディと、
少なくとも前記ボディの前記移動路内の第１位置と前記第１位置よりも前記第１方向の一方に位置する第２位置との間をスライド自在となるように、当該ボディ内に設けられたスライダであって、前記カードの係合凹部に前記第２方向の一方側から係合可能な係合部を有するスライダと、
前記第１位置に位置する前記スライダに対し、当該スライダを前記第２位置へ移動させる付勢力を付与する付勢部と、
前記スライダが前記第２位置に位置するときに、当該スライダに前記第１方向の一方側から当接するように配置された第１当接部とを備えており、
前記第１当接部は、前記スライダが当該第１当接部に当接したときに、前記付勢部の付勢力が前記係合部を前記第２方向の他方へ移動させるように当該スライダに対して作用するように、前記第１方向の一方及び前記第２方向の他方の成分を含む方向に傾斜又は湾曲しているカードコネクタ。
【請求項１０】
請求項１〜９の何れかに記載のカードコネクタにおいて、
前記ボディの前記移動路内には、前記第１位置と前記第２位置との間に第３位置が設けられており、
前記スライダは、ランナーを更に有しており、
前記ボディは、前記第１方向に延び、前記ランナーの前記第２方向の寸法よりも若干大きい前記第２方向の寸法を有する溝であって、前記ランナーを前記第１方向に移動自在にガイドするガイド路と、
前記ガイド路の前記第２方向の一方の隣に当該ガイド路に連通するように設けられており且つ前記スライダが前記第３位置に位置するときに、前記ランナーが前記ガイド路から挿入可能な凹部とを更に有しているカードコネクタ。
【請求項１１】
請求項１０記載のカードコネクタにおいて、
前記ボディの前記ガイド路は、当該ガイド路の前記凹部よりも前記第１方向の一方側の部分である規制路と、
前記規制路の前記第２方向の一方の壁であって、前記スライダが前記第２位置に位置するときに、前記ランナーに前記第２方向の一方側から当接する変位規制部とを有しているカードコネクタ。
【請求項１２】
請求項１〜９の何れかに記載のカードコネクタにおいて、
前記スライダは、ランナーを更に有しており、
前記ボディは、前記第１方向に延び、前記ランナーの前記第２方向の寸法よりも若干大きい前記第２方向の寸法を有する溝であって、前記ランナーを前記第１方向に移動自在にガイドするガイド路と、
前記ガイド路の前記第２方向の一方の隣に当該ガイド路に連通するように設けられており且つ前記スライダが前記第２位置に位置するときに、前記ランナーが前記ガイド路から挿入可能な凹部とを更に有しているカードコネクタ。
【請求項１３】
請求項１２記載のカードコネクタにおいて、
前記ボディの前記移動路内には、前記第２位置よりも前記第１方向の一方に第３位置が設けられており、
前記スライダは、前記ボディの前記移動路内の前記第１位置と前記第３位置との間をスライド自在となるように、当該移動路内に設けられており、
前記第１当接部は、前記スライダが前記第２位置から前記第３位置にかけて移動するときに、当該スライダに前記第１方向の一方に押圧され、弾性変形可能な弾性体であり、
前記ボディの前記ガイド路は、当該ガイド路の前記凹部よりも前記第１方向の一方側の部分であり且つ前記スライダが前記第３位置に位置するときに、前記ランナーが挿入される規制路と、
前記規制路の前記第２方向の一方の壁であって、前記スライダが前記第３位置に位置するときに、前記ランナーに前記第２方向の一方側から当接する変位規制部とを有しているカードコネクタ。
【請求項１４】
請求項１０〜１３の何れかに記載のカードコネクタにおいて、
前記スライダは、前記第２方向の一方の第１端部と、
前記第２方向の他方の第２端部とを更に有しており、
前記スライダは、前記ランナーが前記凹部に挿入されるときに、前記第２方向の一方に傾斜可能であり、
前記スライダの前記係合部は、前記スライダの前記第２端部から前記第２方向の他方に延びており、
前記スライダの前記第１端部が、当該スライダが前記第２方向の一方に傾斜したときに、前記移動路の前記第２方向の一方の壁に当接しないように、切り欠かれているコネクタ。
【請求項１５】
請求項１〜１４の何れかに記載のカードコネクタにおいて、
前記第１当接部は、前記スライダが前記第２位置に位置するときに、当該スライダに前記第１方向の一方側から弾性的に当接する弾性体であるカードコネクタ。
【発明の詳細な説明】
【技術分野】
【０００１】
本発明は、カードコネクタに関する。
【背景技術】
【０００２】
従来のカードコネクタが下記特許文献１に記載されている。このカードコネクタは、ボディと、スライダと、第１スプリングと、第２スプリングと、ロックバネとを備えている。ボディは、カードが挿脱可能なスロットを有している。スライダは、ボディ内の第１位置と第２位置との間をカードと共にスライド可能に設けられている。第１位置は、スロットに挿入されたカードがカードコネクタに接続される接続位置である。第２位置は、カードがスロットからの飛び出しを防止する飛び出し防止位置である。第１位置と第２位置との間には第３位置が設けられている。第３位置は、カードがスロットから排出可能な排出位置である。第１スプリングは、第１位置に位置するスライダを第２位置へ付勢する。ロックバネは、スライダに固定されており且つスライダと共に移動可能である。第２スプリングは、スライダが第２位置に位置するとき、当該スライダに弾性的に接触して当該スライダを第２位置から第３位置へ押し戻す。ロックバネは、係合部を有している。ロックバネは、係合部がカードの係合凹部に係合される係合位置から当該係合凹部から脱する脱位置にかけて変位するように、弾性変形可能な構成である。スライダが第２位置に位置するときに、ロックバネの係合部がボディのリブに当接することによって、係合部の係合位置から脱位置への変位が妨げられる。これにより、係合部と係合凹部との係合が維持され、カードがスロットから飛び出すことが抑制されている。
【先行技術文献】
【特許文献】
【０００３】
【特許文献１】特許第４０５０２９９号公報
【発明の概要】
【発明が解決しようとする課題】
【０００４】
この種のカードコネクタは、一般的に大型化することなく、カードの飛び出しを抑制する精度を向上させることが求められている。
【０００５】
本発明は、上記事情に鑑みて創案されたものであって、その目的とするところは、大型化することなく、カードの飛び出しを抑制できるカードコネクタを提供することにある。
【課題を解決するための手段】
【０００６】
上記課題を解決するために、本発明の一態様のカードコネクタは、ボディと、スライダと、第１当接部と、付勢部とを備えている。ボディは、スロットと、移動路とを有している。スロットは、カードが第１方向に挿脱可能である。移動路は、スロットの第２方向の一方の隣に設けられている。第２方向は、第１方向に交差している。移動路は、第１位置と、第２位置とを有している。第２位置は、第１位置よりも第１方向の一方に位置している。スライダは、少なくともボディの移動路内の第１位置と第２位置との間をスライド自在となるように、当該移動路内に設けられている。このスライダは、カードの係合凹部に第２方向の一方側から係合可能な係合部を有している。第１当接部は、スライダが第２位置に位置するときに、当該スライダに第１方向の一方側から当接するように配置されている。付勢部は、第１位置に位置するスライダに対し、当該スライダを第１方向の一方に移動させる付勢力を付与する。付勢部は、スライダが第１当接部に当接するときに、付勢力が係合部を第２方向の他方へ移動させるように当該スライダに対して作用する構成となっている。
【０００７】
このような態様のカードコネクタは、大型化することなく、カードの飛び出しが抑制される。その理由は以下の通りである。スライダの係合部はカードの係合凹部に第２方向の一方側から係合している。スライダが第１当接部に当接するときに、付勢部の付勢力が係合部を第２方向の他方へ移動させるように当該スライダに対して作用し、スライダの係合部とカードの係合凹部との係合を維持させる。この係合が維持されることによって、カードの飛び出しが抑制される。このようにカードを排出するための付勢部の付勢力を利用しているので、カードコネクタの大型化を招来しない。
【０００８】
付勢部の付勢力は、スライダに対して第１方向の一方に各々付勢する第１付勢力及び第２付勢力を含んでいても良い。スライダは、第１付勢力が付与される第１部と、第２付勢力が付与される第２部とを更に有する構成とすることが可能である。第２部は、第１部よりも第２方向の他方側に位置した構成とすることが可能である。付勢部は、第２付勢力が第１付勢力よりも小さい構成とすることが可能である。このような態様のカードコネクタによる場合、スライダが第１当接部に当接するときに、スライダの第２方向の一方の第１部に、第２方向の他方の第２部よりも大きな荷重がかかる。この二つの荷重の差が、スライダの係合部を第２方向の他方へ移動させるようにスライダに作用する。
【０００９】
付勢部は、スライダを押圧する第１方向の一方の先端部を有する構成とすることが可能である。先端部は、第２方向の一方の第１端部と、第２方向の他方の第２端部とを有する構成とすることが可能である。第１方向において、第１端部が第２端部よりも圧縮された構成とすることが可能である。このような態様のカードコネクタによる場合、付勢部の先端部の第１端部を第２端部よりも圧縮させるだけで、スライダの第１部に対して、第２部よりも大きな付勢力を付与することができる。
【００１０】
スライダは、傾斜面を更に有する構成とすることが可能である。傾斜面は、第１方向の一方及び第２方向の他方の成分を含む方向に傾斜し、且つ第１部及び第２部を有する構成とすることが可能である。付勢部の先端部が、スライダの傾斜面に押し付けられ、第１方向において、付勢部の先端部の第１端部が第２端部よりも圧縮された構成とすることが可能である。このような態様のカードコネクタによる場合、付勢部の先端部を傾斜面に押し付けるだけで、付勢部の先端部の第１端部を第２端部よりも圧縮させ、スライダの第１部に対して、第２部よりも大きな付勢力を付与することができる。
【００１１】
スライダは、第１当接部に当接可能な第２当接部を有する構成とすることが可能である。付勢部は、第２当接部よりも第２方向の一方側で、スライダを第１方向の一方へ付勢する構成とすることが可能である。付勢部によってスライダにかかる第１方向の一方への第１荷重が、スライダの第２当接部が第１当接部に当接するときに当該スライダにかかる第１方向の他方への第２荷重よりも大きくすることが可能である。
【００１２】
このような態様のカードコネクタは、大型化することなく、カードの飛び出しが抑制される。その理由は以下の通りである。スライダに対して第１方向の一方への第１荷重がかかる一方で、スライダが第１当接部に当接するときに、第１荷重よりも第２方向の他方側で、スライダに対して第１方向の他方への第２荷重がかかる。この第１荷重及び第２荷重が係合部を第２方向の他方へ移動させるように当該スライダに対して作用し、スライダの係合部とカードの係合凹部との係合を維持させる。この係合が維持されることによって、カードの飛び出しが抑制される。このようにカードを排出するための付勢部による第１荷重と、スライダが第１当接部に当接するときに生じる第２荷重とを利用しているので、カードコネクタの大型化を招来しない。
【００１３】
スライダは、傾斜面又は湾曲面を更に有する構成とすることが可能である。傾斜面は、第１方向の一方及び第２方向の他方の成分を含む方向に傾斜した構成とすることが可能である。湾曲面は、第１方向の一方及び第２方向の他方の成分を含む方向に湾曲した構成とすることが可能である。付勢部は、傾斜面又は湾曲面の第２方向の一方の端部を第２当接部よりも第２方向の一方側で、第１方向の一方へ付勢する構成とすることが可能である。このような態様のカードコネクタによる場合、スライダの第２方向の寸法の増大を抑制することができ、当該カードコネクタの大型化を抑制することができる。付勢部が、傾斜面又は湾曲面の第２方向の一方の端部を第２当接部よりも第２方向の一方側で付勢する構成であるので、付勢部の傾斜面又は湾曲面の第２方向の一方の端部に接触する部分が第２当接部よりも第２方向の一方側に位置すれば良い。すなわち、付勢部全体を第２当接部よりも第２方向の一方側に位置させる必要がないので、スライダの第２方向の寸法の増大を抑制できる。
【００１４】
付勢部は、第１方向の一方の先端面を有する構成とすることが可能である。先端面が、第１方向の一方及び第２方向の一方の成分を含む方向に傾斜又は湾曲した構成とすることが可能である。先端面の第２方向の一方の端部が、スライダを、第２当接部よりも第２方向の一方側で、第１方向の一方へ付勢する構成とすることが可能である。このような態様のカードコネクタによる場合、スライダの第２方向の寸法の増大を抑制することができ、当該カードコネクタの大型化を抑制することができる。付勢部の傾斜又は湾曲した先端面の第２方向の一方の端部が、スライダを、第２当接部よりも第２方向の一方側で付勢する構成であるので、付勢部の先端面の第２方向の一方の端部が第２当接部よりも第２方向の一方側に位置すれば良い。すなわち、付勢部全体を第２当接部よりも第２方向の一方側に位置させる必要がないので、スライダの第２方向の寸法の増大を抑制できる。
【００１５】
スライダは、収容孔を更に有する構成とすることが可能である。付勢部の少なくとも先端部が、スライダの収容孔に収容され且つ第１方向の一方及び第２方向の他方の成分を含む方向に湾曲した構成とすることが可能である。先端部の先端面の略中心が、第２当接部よりも第２方向の一方側に位置していると良い。付勢部によってスライダにかかる荷重は、第１方向の一方への第１分力と、第２方向の他方への第２分力とを含む構成とすることが可能である。第１分力が、スライダの第２当接部が第１当接部に当接するときに当該スライダにかかる第１方向の他方への第３荷重よりも大きくすることが可能である。
【００１６】
このような態様のカードコネクタは、大型化することなく、カードの飛び出しが抑制される。その理由は以下の通りである。スライダに対して第１方向の一方への第１分力及び第２方向の他方への第２分力がかかる一方で、スライダが第１当接部に当接するときに、第１荷重よりも第２方向の他方側で、スライダに対して第１方向の他方への第３荷重がかかる。この第１分力、第２分力及び第３荷重が係合部を第２方向の他方へ移動させるように当該スライダに対して作用し、スライダの係合部とカードの係合凹部との係合を維持させる。この係合が維持されることによって、カードの飛び出しが抑制される。このようにカードを排出するための付勢部による第１分力及び第２分力と、スライダが第１当接部に当接するときに生じる第３荷重とを利用しているので、カードコネクタの大型化を招来しない。
【００１７】
本発明の別の一態様のカードコネクタは、ボディと、スライダと、付勢部と、第１当接部とを備えている。ボディは、スロットと、移動路とを有している。スロットは、カードが第１方向に挿脱可能である。移動路は、スロットの第２方向の一方の隣に設けられている。第２方向は、第１方向に交差している。移動路は、第１位置と、第２位置とを有している。第２位置は、第１位置よりも第１方向の一方に位置している。スライダは、少なくともボディの移動路内の第１位置と第２位置との間をスライド自在となるように、当該移動路内に設けられている。このスライダは、カードの係合凹部に第２方向の一方側から係合可能な係合部を有している。付勢部は、第１位置に位置するスライダに対し、当該スライダを第１方向の一方に移動させる付勢力を付与する。第１当接部は、スライダが第２位置に位置するときに、当該スライダに第１方向の一方側から当接するように配置されている。第１当接部は、スライダが当該第１当接部に当接したときに、付勢部の付勢力が係合部を第２方向の他方へ移動させるように当該スライダに対して作用するように、第１方向の一方及び第２方向の他方の成分を含む方向に傾斜又は湾曲している。
【００１８】
このような態様のカードコネクタは、大型化することなく、カードの飛び出しが抑制される。その理由は以下の通りである。傾斜又は湾曲した第１当接部にスライダが当接することによって、付勢部の付勢力が係合部を第２方向の他方へ移動させるように当該スライダに対して作用し、スライダの係合部とカードの係合凹部との係合を維持させる。この係合が維持されることによって、カードの飛び出しが抑制される。このように第１当接部を傾斜又は湾曲させ、且つカードを排出するための付勢部の付勢力を利用しているだけであるので、カードコネクタの大型化を招来しない。
【００１９】
ボディの移動路内には、第１位置と第２位置との間に第３位置が設けられた構成とすることが可能である。スライダは、ランナーを更に有する構成とすることが可能である。ボディは、ガイド路と、凹部とを更に有する構成とすることが可能である。ガイド路は、第１方向に延び、ランナーの第２方向の寸法よりも若干大きい第２方向の寸法を有する溝であって、ランナーを第１方向に移動自在にガイドする構成とすることが可能である。凹部は、ガイド路の第２方向の一方の隣に当該ガイド路に連通するように設けられた構成とすることが可能である。スライダが第３位置に位置するときに、ランナーがガイド路から凹部に挿入可能な構成とすることが可能である。このような態様のカードコネクタによる場合、ランナーが凹部に挿入されることによって、スライダの係合部が第２方向の一方に変位し、カードの係合凹部との係合が解除される。よって、スライダが第３位置に位置しているときに、カードをスロットから容易に取り出すことができる。
【００２０】
前記ボディの前記ガイド路は、規制路と、変位規制部とを有する構成とすることが可能である。規制路は、ガイド路の凹部よりも第１方向の一方側の部分とすることが可能である。変位規制部は、規制路の第２方向の一方の壁であって、スライダが第２位置に位置するときに、ランナーに第２方向の一方側から当接する構成とすることが可能である。このような態様のカードコネクタは、大型化することなく、カードの飛び出しを更に抑制することができる。スライダが第２位置に位置するときに、ランナーが規制路内に挿入され、変位規制部に当接して第２方向の一方への変位が防止される。このため、スライダの係合部とカードの係合凹部との係合が維持され、カードの飛び出しが防止される。また、規制路はガイド路の一部であり、変位規制部は規制路の壁であるので、カードコネクタが規制路及び変位規制部を備えていても、大型化するのを抑制することができる。
【００２１】
スライダが第３位置ではなく、第２位置に位置するときに、ランナーがガイド路から凹部に挿入可能な構成とすることが可能である。この場合、以下の１）〜４）の構成となっていると良い。１）ボディの移動路内の第３位置は、前記第２位置よりも前記第１方向の一方に位置していると良い。２）スライダは、移動路内の第１位置と第３位置との間をスライド自在となるように、当該移動路内に設けられていると良い。３）第１当接部は、スライダが第２位置から第３位置にかけて移動するときに、当該スライダに第１方向の一方に押圧され、弾性変形可能な弾性体とすることが可能である。４）スライダが第３位置に位置するときに、ランナーが規制路内に挿入され且つ変位規制部に第２方向の一方側から当接される構成とすることが可能である。
【００２２】
スライダは、第２方向の一方の第１端部と、第２方向の他方の第２端部とを更に有する構成とすることが可能である。スライダは、ランナーが凹部に挿入されるときに、第２方向の一方に傾斜可能な構成とすることが可能である。スライダの係合部は、スライダの第２端部から第２方向の他方に延びた構成とすることが可能である。スライダの第１端部が、当該スライダが第２方向の一方に傾斜したときに、移動路の第２方向の一方の壁に当接しないように、切り欠かれた構成とすることが可能である。このような態様のカードコネクタによる場合、スライダが第２方向の一方に傾斜したときに、スライダが移動路の第２方向の一方の壁に当接しない。
【００２３】
第１当接部は、スライダが第２位置に位置するときに、当該スライダに第１方向の一方側から弾性的に当接する弾性体とすることが可能である。
【図面の簡単な説明】
【００２４】
【図１Ａ】本発明の実施例１の一態様に係るカードコネクタの正面、平面及び右側面を表した斜視図である。
【図１Ｂ】前記カードコネクタの背面、底面及び右側面を表した斜視図である。
【図１Ｃ】前記カードコネクタのカバーを取り外した状態の正面、平面及び左側面を表した斜視図である。
【図２Ａ】前記カードコネクタ及びこれに接続されるカードの図１Ａ中の２Ａ−２Ａ断面図であって、当該カードコネクタのスライダが第１位置に位置している状態を示す図である。
【図２Ｂ】前記カードコネクタ及び前記カードの図１Ａ中の２Ｂ−２Ｂ断面図であって、当該カードコネクタのスライダが第１位置に位置している状態を示す図である。
【図３Ａ】前記カードコネクタ及び前記カードの図１Ａ中の２Ａ−２Ａ断面図であって、当該カードコネクタのスライダが第２位置に位置している状態を示す図である。
【図３Ｂ】前記カードコネクタ及び前記カードの図１Ａ中の２Ｂ−２Ｂ断面図であって、当該カードコネクタのスライダが第２位置に位置している状態を示す図である。
【図３Ｃ】前記カードコネクタのスライダ及び、付勢部及び第１当接部との関係を示す説明図であって、スライダが第１当接部に当接した状態を示す図である。
【図４Ａ】前記カードコネクタ及び前記カードの図１Ａ中の２Ａ−２Ａ断面図であって、当該カードコネクタのスライダが第３位置に位置している状態を示す図である。
【図４Ｂ】前記カードコネクタ及び前記カードの図１Ａ中の２Ｂ−２Ｂ断面図であって、当該カードコネクタのスライダが第３位置に位置している状態を示す図である。
【図５Ａ】前記カードコネクタ及び前記カードの図１Ａ中の２Ａ−２Ａ断面図であって、当該カードコネクタのスライダが変位した状態を示す図である。
【図５Ｂ】前記カードコネクタ及び前記カードの図１Ａ中の２Ｂ−２Ｂ断面図であって、当該カードコネクタのスライダが変位した状態を示す図である。
【図６Ａ】本発明の実施例２の一態様に係るカードコネクタのスライダ及び、付勢部及び第１当接部との関係を示す説明図であって、スライダが第１当接部に当接した状態を示す図である。
【図６Ｂ】本発明の実施例２の別の一態様に係るカードコネクタのスライダ、付勢部及び第１当接部との関係を示す説明図であって、スライダが第１当接部に当接した状態を示す図である。
【図７】本発明の実施例３の一態様に係るカードコネクタのスライダ、付勢部及び第１当接部との関係を示す説明図であって、スライダが第１当接部に当接した状態を示す図である。
【図８】本発明の実施例４の一態様に係るカードコネクタのスライダ、付勢部及び第１当接部との関係を示す説明図であって、スライダが第１当接部に当接した状態を示す図である。
【発明を実施するための形態】
【００２５】
以下、本発明の実施例１〜４について説明する。
【実施例１】
【００２６】
以下、本発明の実施例１に係るカードコネクタＣ１について図１Ａ〜図５Ｂを参照しつつ説明する。カードコネクタＣ１は、カードＭが接続可能なコネクタである。以下、これらについて詳しく説明する。なお、図１Ｃ〜図５Ｂに示されるＹ−Ｙ’方向は、カードＭのカードコネクタＣ１に対する挿脱方向に相当する。Ｙ方向はカードＭの排出方向及び特許請求の範囲の第１方向の一方に相当する。Ｙ’方向はカードＭの挿入方向及び第１方向の他方に相当する。図１Ｃ〜図５Ｂに示されるＸ−Ｘ’方向は、特許請求の範囲の第２方向に相当する。Ｘ−Ｘ’方向は、Ｙ−Ｙ’方向に直角に交差する。Ｘ方向は、特許請求の範囲の第２方向の一方に相当する。Ｘ’方向は、特許請求の範囲の第２方向の他方に相当する。図１Ｃに示されるＺ−Ｚ’方向は、カードコネクタＣ１の厚み方向に相当する。Ｚ−Ｚ’方向は、Ｙ−Ｙ’方向及びＸ−Ｘ’方向に直角に交差する。
【００２７】
カードＭは、例えば、ＩＣカード、ＰＣカード、ＳＩＭカード、ＳＤカード、ｍｉｎｉＳＤカード等である。カードＭは、係合凹部Ｍ１を備えている。係合凹部Ｍ１は、カードＭのＸ方向の端部に設けられている。
【００２８】
カードコネクタＣ１は、ボディ１００を備えている。ボディ１００は絶縁樹脂で構成されている。ボディ１００は、スロット１１０を有している。スロット１１０は、ボディ１００に設けられ且つＹ−Ｙ’方向に延びた凹部又は孔であって、少なくともＹ方向に開口している。図１Ａ〜図１Ｃでは、スロット１１０はＹ方向及びＺ方向に開口している。スロット１１０のＸ−Ｘ’方向の寸法は、カードＭのＸ−Ｘ’方向の寸法よりも若干大きい。スロット１１０のＺ−Ｚ’方向の寸法は、カードＭのＺ−Ｚ’方向の寸法よりも若干大きい。スロット１１０のＹ−Ｙ’方向の寸法は、カードＭのＹ−Ｙ’方向の寸法よりも小さい又は略同じである。このスロット１１０に対してカードＭがＹ−Ｙ’方向に挿脱可能となっている。なお、図２Ａ及び図２Ｂに示されるカードＭの位置は、カードＭがカードコネクタＣ１に接続される接続位置である。図３Ａ及び図３Ｂに示されるカードＭの位置は、カードＭがスロット１１０から飛び出しが防止される飛び出し防止位置である。図４Ａ及び図４Ｂに示されるカードＭの位置は、カードＭがカードコネクタＣ１のスロット１１０から排出可能な排出位置である。
【００２９】
カードコネクタＣ１は、複数の端子６００を更に備えている。端子６００は金属板で構成されている。端子６００は、接点部６１０を有している。端子６００は、接点部６１０がスロット１１０内に位置するように、端子６００がボディ１００に保持されている。端子６００は、ボディ１００にインサート成形されていても良いし、ボディ１００に設けられた収容溝や収容凹部等に収容保持されていても良い。図１Ａ〜図５Ｂでは、端子６００は、ボディ１００にインサート成形されている。カードＭが接続位置に位置しているときに、カードＭの図示しない複数の電極が接点部６１０に接触する。このようにしてカードＭが接続位置でカードコネクタＣ１に接続される。端子６００は、図示しない外部接続部を更に有している。外部接続部は、カードコネクタＣ１が搭載される電子機器の基板等に接続可能となるようにボディ１００から突出していると良い。
【００３０】
ボディ１００は、移動路１２０を更に有している。移動路１２０は、ボディ１００のスロット１１０のＸ方向の隣に当該スロット１１０に連通するように設けられた凹部又は孔であって、Ｙ−Ｙ’方向に延びている。移動路１２０は、Ｙ方向及び／又はＺ方向に開口している。図１Ａ〜図５Ｂでは、移動路１２０はＹ方向及びＺ方向に開口している。移動路１２０は、第１位置及び第２位置を少なくとも有している。
【００３１】
カードコネクタＣ１は、スライダ２００と、付勢部３００と、第１当接部４００とを更に備えている。スライダ２００は、少なくともボディ１００の移動路１２０内の第１位置と第２位置との間をスライド自在となるように、移動路１２０内に設けられている。第１位置は、カードＭが接続位置に位置するときに、スライダ２００が位置する移動路１２０内の位置である（図２Ａ参照）。第２位置は、カードＭが飛び出し防止位置に位置するときに、スライダ２００が位置する移動路１２０内の位置であって、第１位置よりもＹ方向側に設けられている（図３Ａ参照）。移動路１２０は、第３位置を更に有していても良い。第３位置は、カードＭが排出位置に位置するときに、スライダ２００が位置する位置であって、第１位置と第２位置との間に設けられている。
【００３２】
スライダ２００は、スライダ本体２１０と、係合部２２０とを有している。スライダ本体２１０は、Ｙ方向の端部と、Ｙ’方向の端部と、Ｘ方向の第１端部２１１と、Ｘ’方向の第２端部２１２とを有している。なお、第１端部２１１が特許請求の範囲のスライダの第１端部に相当し、第２端部２１２が特許請求の範囲のスライダの第２端部に相当する。
【００３３】
係合部２２０は、スライダ本体２１０の第２端部２１２に一体的に設けられており且つスライダ本体２１０からＸ’方向に延びた凸部とすることが可能である。又は、係合部２２０は、スライダ本体２１０からＸ’方向に突出するように、スライダ本体２１０に保持されたロックバネ等のバネ部材等で構成することが可能である。図１Ａ〜図５Ｂでは、係合部２２０は前者であって、スライダ本体２１０と同様に樹脂で一体的に構成された平面視略三角形の凸部である。
【００３４】
係合部２２０は、カードＭの係合凹部Ｍ１にＸ方向側から係合可能になっている。換言すると、係合部２２０は係合凹部Ｍ１にＸ−Ｘ’方向において挿脱可能となっている。係合部２２０がカードＭの係合凹部Ｍ１に係合することによって、スライダ２００がカードＭと共に第１位置と第２位置との間を移動可能となっている。
【００３５】
第１当接部４００は、スライダ２００が移動路１２０内の第２位置に位置するときに、スライダ２００にＹ方向側から当接するように、移動路１２０外又は移動路１２０内に配置されている。第１当接部４００は、以下の１）〜３）の何れかの構成とすることが可能である。
【００３６】
１）第１当接部４００は、移動路１２０内に配置された板バネ、スプリング又はゴム等の弾性体とすることが可能である。この第１当接部４００はボディ１００に保持されていると良い。２）カードコネクタＣ１が、カバー５００を更に備えている場合、第１当接部４００は、カバー５００から延びており且つＺ方向側から移動路１２０内に挿入された板バネとすることが可能である。３）第１当接部４００は、移動路１２０のＹ方向側の壁又はボディ１００の移動路１２０内に設けられた壁とすることが可能である。第１当接部４００が１）又は２）の構成である場合、第１当接部４００は、スライダ２００が移動路１２０内の第２位置に位置するときに、スライダ２００にＹ方向側から弾性的に当接する。又は、第１当接部４００が１）又は２）の構成である場合、第１当接部４００は、スライダ２００が移動路１２０内の第３位置に位置するときに、スライダ２００にＹ方向側から当接しても良い。この場合、スライダ２００が第３位置から第２位置へ移動するときに、第１当接部４００がＹ方向へ弾性変形する構成とすると良い。
【００３７】
カバー５００は、ボディ１００のスロット１１０及び／又は移動路１２０をＺ方向側から覆うようにボディ１００に取り付けられた金属板で構成されていると良い。２）の構成である第１当接部４００は、カバー５００の端から延びた構成とすることが可能であるし、カバー５００の一部を切欠き、当該一部を折り曲げた構成とすることも可能である。
【００３８】
図１Ａ〜図５Ｂでは、カバー５００は、主板５１０と、一対の側板５２０と、背板５３０とを有している。主板５１０はボディ１００をＺ方向側から覆う矩形状の板である。主板５１０は、Ｘ方向側の端と、Ｘ’方向側の端と、Ｙ’方向側の端とを有している。側板５２０は、主板５１０のＸ方向側の端及びＸ’方向側の端からＺ’方向に各々延びた板であって、ボディ１００のＸ方向側の外面及びＸ’方向側の外面に各々係合されている。背板５３０は、主板５１０のＹ’方向側の端からＺ方向に延びた板であって、ボディ１００のＹ’方向側の外面に係合されている。第１当接部４００は、主板５１０のＹ方向の端一体的に設けられた略Ｖ字状の板である。第１当接部４００は、基部４１０と、先端部４２０とを有している。基部４１０は、主板５１０のＹ方向の端からＹ方向に延びた板であって、ボディ１００の支持部１５０上に位置し、支持部１５０に支持されている。支持部１５０は、移動路１２０のＸ方向の壁とＸ’方向の壁とに懸架されている。先端部４２０は、基部４１０のＹ方向側の端からＺ’方向及びＹ’方向の成分を含む方向に延びた板であって、移動路１２０外で且つ移動路１２０のＹ方向側に配置されている。スロット１１０がＹ方向のみに開口する孔である場合、カバー５００は省略可能である。カバー５００は、金属板以外の素材（例えば、樹脂）で構成することが可能である。  
【００３９】
スライダ２００は、第２当接部２３０を更に有していても良い。第２当接部２３０は、スライダ本体２１０のＹ方向の端部に設けられている。第２当接部２３０は、スライダ本体２１０のＹ方向の端部からＹ方向に延びる凸部である。第２当接部２３０が、第１当接部４００にＹ’方向側から当接可能である。
【００４０】
スライダ２００は、被付勢部２４０を更に有していても良い。被付勢部２４０は、スライダ本体２１０の付勢部３００によって付勢される部分である限り任意に設定可能である。例えば、スライダ本体２１０に収容孔２１３が設けられている場合、被付勢部２４０は、収容孔２１３のＹ方向の内面とすることが可能である。収容孔２１３は、Ｙ−Ｙ’方向に延びており且つＹ’方向に開口している。この収容孔２１３に付勢部３００が部分的に収容されている。又は、被付勢部２４０はスライダ本体２１０に設けられており且つＹ’方向側に向いた端面とすることが可能である。何れの場合も、被付勢部２４０は、第１部２４１及び第２部２４２と有していると良い。第２部２４２は、第１部２４１よりもＸ’方向側に位置している。図１Ｃ〜図５Ｂでは、付勢部３００のＹ方向側の略半分が収容孔２１３に収容されており、且つ被付勢部２４０は収容孔２１３のＹ方向の内面である。
【００４１】
付勢部３００は、第１位置に位置するスライダ２００とボディ１００の移動路１２０のＹ’方向の壁との間に圧縮状態で介在したコイルスプリング又はゴム等の弾性体である。図１Ｃ〜図５Ｂでは、付勢部３００はコイルスプリングである。この場合、付勢部３００の後端部３２０内には、移動路１２０のＹ’方向の壁からＹ方向に延びる柱状の支柱１２１が挿入されていると良い。支柱１２１は省略可能である。付勢部３００は、第１位置に位置するスライダ２００に対し、当該スライダ２００をＹ方向に移動させる付勢力を付与する。
【００４２】
第１当接部４００が第２位置でのみスライダ２００に当接する場合、付勢部３００は、外力が加えられていない状態で、スライダ２００が第３位置に位置するように設定されていると良い。第１当接部４００が第３位置でスライダ２００に弾性的に当接する場合、付勢部３００の付勢力と第１当接部４００のＹ’方向への付勢力との均衡によってスライダ２００が第３位置に位置するように設定されていると良い。
【００４３】
付勢部３００は、スライダ２００が第２位置に位置し且つ第１当接部４００に当接するときに、当該付勢部３００の付勢力が係合部２２０をＸ’へ移動させるようにスライダ２００に対して作用する構成となっている。具体的には以下の通りである。付勢部３００の付勢力は、第１付勢力Ｆ１と第２付勢力Ｆ２とを含んでいる。第１付勢力Ｆ１は、スライダ２００の被付勢部２４０の第１部２４１をＹ方向に付勢している。第２付勢力Ｆ２は、スライダ２００の被付勢部２４０の第２部２４２をＹ方向に付勢している。付勢部３００は、第２付勢力Ｆ２が第１付勢力Ｆ１よりも小さい構成となっている。この付勢部３００の第１付勢力Ｆ１と第２付勢力Ｆ２との差によって、スライダ２００の第１部２４１にかかる荷重が第２部２４２にかかる荷重よりも大きくなる。この荷重の差が、スライダ２００が第１当接部４００に当接するときに、スライダ２００の係合部２２０をＸ’へ移動させるようにスライダ２００に対して作用する。係合部２２０はＸ方向側からカードＭの係合凹部Ｍ１に係合されているので、前述のとおり付勢部３００の第１付勢力Ｆ１及び第２付勢力Ｆ２がスライダ２００と作用することによって、係合部２２０のＸへ移動が抑制される。このため、第２位置でスライダ２００の係合部２２０がカードＭの係合凹部Ｍ１に係合された状態が維持されるので、カードＭが飛び出し防止位置でスロット１１０から飛び出すことが抑制される。
【００４４】
付勢部３００は、Ｙ方向の先端部３１０と、Ｙ’方向の後端部３２０とを有している。先端部３１０は、Ｘ方向の第１端部３１１と、Ｘ’方向の第２端部３１２とを有している。Ｙ−Ｙ’方向において第１端部３１１が第２端部３１２よりも圧縮された構成としても良い。この場合、第１端部３１１が被付勢部２４０の第１部２４１をＹ方向に付勢し、第１付勢力Ｆ１（第１荷重）を付与する。第２端部３１２が被付勢部２４０の第２部２４２をＹ方向に付勢し、第２付勢力Ｆ２（第２荷重）を付与する。
【００４５】
Ｙ−Ｙ’方向において第１端部３１１が第２端部３１２よりも圧縮させるため構成は、以下の１）又は２）の通りである。１）図３Ｃに示されているように、スライダ２００の被付勢部２４０がＹ方向及びＸ’方向の他方の成分を含む方向に傾斜した傾斜面とすることが可能である。この場合、被付勢部２４０の第１部２４１は傾斜面のＸ方向の端部であり、且つ被付勢部２４０の第２部２４２は傾斜面のＸ’方向の端部である。２）スライダ２００の被付勢部２４０の第１部２４１がＹ’方向に延びた凸部とすることが可能である。この場合も、１）及び２）の何れの場合も、第１部２４１は第２部２４２よりもＹ’方向に位置する。付勢部３００が非圧縮の状態で、先端部３１０の先端面がＸ−Ｘ’方向においてフラットである。第１部２４１のＹ−Ｙ’方向の位置から第２部２４２のＹ−Ｙ’方向の位置までの距離をｘ’とする。付勢部３００の先端部３１０が被付勢部２４０に押し付けられることにより、Ｙ−Ｙ’方向において第１端部３１１が第２端部３１２よりも距離ｘ’の分圧縮されている。なお、付勢部３００の伸縮量をｘとし、付勢部３００のバネ定数をｋとしたとき、第１付勢力Ｆ１は、Ｆ１＝ｋ（ｘ＋ｘ’）となり、第２付勢力Ｆ２は、Ｆ２＝ｋｘとなる。
【００４６】
スライダ２００は、ランナー２５０を更に備えていても良い。ランナー２５０は、例えば、スライダ本体２１０のＺ’方向の面に設けられた突起又はスライダ本体２１０自体である。図１Ａ〜図５Ｂでは、ランナー２５０は前者である。ボディ１００は、ガイド路１３０を更に備えていても良い。ランナー２５０が前者である場合、ガイド路１３０は、移動路１２０のＺ’方向の板に設けられた溝である。このガイド路１３０は、移動路１２０のＺ’方向の板をＺ−Ｚ’方向に貫通していても良いし、有底であっても良い。ランナー２５０が後者である場合、ガイド路１３０は、移動路１２０自体とすると良い。何れの場合も、ガイド路１３０は、Ｙ−Ｙ’方向に延びている。ガイド路１３０のＸ−Ｘ’方向の寸法は、ランナー２５０のＸ−Ｘ’方向の寸法よりも若干大きい。ガイド路１３０がランナー２５０をＹ−Ｙ’方向に移動自在にガイドしている。
【００４７】
ボディ１００は、凹部１４０を更に備えていても良い。凹部１４０は、ボディ１００のガイド路１３０のＸ方向の隣にガイド路１３０に連通するように設けられている。凹部１４０のガイド路１３０に対するＹ−Ｙ’方向の位置は、スライダ２００が第３位置に位置するときに、ランナー２５０がガイド路１３０から凹部１４０に挿入可能な位置である。ランナー２５０が凹部１４０に挿入されることによって、スライダ２００が第３位置でＸ方向に傾斜し、スライダ２００の係合部２２０がカードＭの係合凹部Ｍ１から脱する。これにより、係合部２２０と係合凹部Ｍ１との係合が解除され、カードＭが排出位置で排出可能となる。なお、付勢部３００がスライダ２００の収容孔２１３に部分的に収容されている場合、スライダ２００がＸ方向に傾斜することにより、付勢部３００もＸ方向に部分的に屈曲し、スライダ２００に復帰力を付与する。
【００４８】
スライダ２００が第３位置でＸ方向に傾斜可能である場合、スライダ２００のスライダ本体２１０の第１端部２１１は、スライダ２００がＸ方向に傾斜するときに、スライダ２００の第１端部２１１が移動路１２０のＸ方向の壁に当接しないように、切り欠かれていると良い。なお、図１Ａ〜図５Ｂでは、第１端部２１１のＹ方向の略２／３の部分がＹ方向及びＸ’方向の成分を含む方向に傾斜するように、切り欠かれている。スライダ２００の第１端部２１１の切欠きの形状は、スライダ２００がＸ方向に傾斜するときに、当該スライダ２００の第１端部２１１が移動路１２０のＸ方向の壁に当接しない限り、任意に変更できる。スライダ２００の第１端部２１１と移動路１２０のＸ方向の壁との間に十分な隙間がある場合は、第１端部２１１が切り欠かれていなくても良い。
【００４９】
ガイド路１３０は、規制路１３１と、変位規制部１３２とを有している。規制路１３１は、ガイド路１３０の凹部１４０よりもＹ方向側の部分である。変位規制部１３２は、規制路１３１のＸ方向の壁である。スライダ２００が第２位置に位置するときに、変位規制部１３２がランナー２５０にＸ方向側から当接する。この当接によって、ランナー２５０のＸ方向への変位が防止される。すなわち、スライダ２００のＸ方向の傾斜が防止され、スライダ２００の係合部２２０がカードＭの係合凹部Ｍ１に係合した状態が維持される。カードコネクタＣ１は、このようにしてもカードＭが飛び出し防止位置でスロット１１０からＹ方向に飛び出すことが抑制されている。
【００５０】
カードコネクタＣ１は、ハートカム機構Ｈを更に備えている。ハートカム機構Ｈは、カム溝Ｈ１と、略Ｕ字状のピンＨ２とを有している。カム溝Ｈ１は、スライダ本体２１０のＺ方向側の面に設けられている。ピンＨ２は長さ方向の第１端及び第２端を有している。ピンＨ２の第１端がボディ１００の移動路１２０のＹ’方向の壁に回転自在に軸支されている。ピンＨ２の第２端は、スライダ２００の移動に応じてカム溝Ｈ１内を移動自在となるように、当該カム溝Ｈ１内に挿入されている。カム溝Ｈ１は、スライダ２００が第１位置を越えてＹ’方向に押し込まれると、ピンＨ２の第２端を位置固定する一方、再度Ｙ’方向に押し込むことによって当該位置固定を解除する形状となっている。なお、ハートカム機構Ｈは省略可能である。
【００５１】
カバー５００は、押え板５４０を有していても良い。押え板５４０は、カバー５００の一部を切欠き、Ｚ’方向に折り曲げた構成とすることが可能である。この押え板５４０がスライダ２００にＺ方向から弾性的に当接している。これにより、スライダ２００のＺ方向への浮き上がりが抑制されている。なお、押え板５４０は省略可能である。
【００５２】
スライダ２００は、突部２６０を更に有しても良い。突部２６０は、スライダ本体２１０の第２端部２１２の係合部２２０よりもＹ’方向の部分に設けられており且つスライダ本体２１０からＸ方向に延びた構成とすることが可能である。突部２６０は、スライダ本体２１０に一体的に設けられていても良いし、別体であっても良い。図１Ａ〜図５Ｂでは、突部２６０は前者であり、スライダ本体２１０と同様に樹脂で構成されている。この突部２６０の外形は、カードＭの嵌合凹部Ｍ２の内形に対応している。嵌合凹部Ｍ２は、カードＭのＸ方向及びＹ’方向側の角部に設けられている。突部２６０は、カードＭの嵌合凹部Ｍ２にＹ’方向側から嵌合可能である。なお、突部２６０及び嵌合凹部Ｍ２は省略可能である。
【００５３】
以下、カードコネクタＣ１の組み立て手順について詳しく説明する。まず、複数の端子６００を保持したボディ１００、スライダ２００及び付勢部３００を用意する。この付勢部３００の先端部３１０の先端面は、Ｘ−Ｘ’方向に平行である。スライダ２００が収容孔２１３を有している場合、付勢部３００のＹ方向側の部分を収容孔２１３に挿入し、付勢部３００の先端部３１０の先端面を収容孔２１３のＹ方向の内面（被付勢部２４０）に押し当てる。スライダ２００が収容孔２１３を有していない場合、付勢部３００の先端部３１０の先端面を被付勢部２４０に当接させる。この状態で、スライダ２００のランナー２５０をボディ１００のガイド路１３０内に挿入し、付勢部３００及びスライダ２００をボディ１００の移動路１２０内に収容させ、且つ付勢部３００をスライダ２００と移動路１２０のＹ’方向の壁との間に圧縮状態で介在させる。このとき、付勢部３００の先端部３１０の先端面が被付勢部２４０に押し付けられ、付勢部３００の先端部３１０の第１端部３１１が、第２端部３１２よりも圧縮される。これにより、第１端部３１１が被付勢部２４０の第１部２４１をＹ方向に付勢し、第１付勢力Ｆ１を付与する。第２端部３１２が被付勢部２４０の第２部２４２をＹ方向に付勢し、第２付勢力Ｆ２を付与する。
【００５４】
その後、ハートカム機構ＨのピンＨ２を用意する。ピンＨ２の第１端をボディ１００の移動路１２０のＹ’方向の壁に回転自在に軸支させると共に、ピンＨ２の第２端をスライダ２００のカム溝Ｈ１内に挿入する。
【００５５】
カバー５００が第１当接部４００を有している場合、カバー５００をＺ方向側からボディ１００に取り付けると共に、第１当接部４００をボディ１００の移動路１２０外で且つ移動路１２０のＹ方向側、又は移動路１２０内に配置する。なお、第１当接部４００が弾性体である場合、スライダ２００及び付勢部３００の収容前に、ボディ１００に保持させておくと良い。第１当接部４００が移動路１２０の壁である場合、第１当接部４００はボディ１００の一部であるので、特段準備する必要はない。以上の通りにカードコネクタＣ１が組み立てられる。
【００５６】
以下、図１Ａ〜図５Ｂに示されるカードＭをカードコネクタＣ１に接続する手順について詳しく説明する。まず、カードＭをカードコネクタＣ１のスロット１１０に挿入する。すると、カードＭの嵌合凹部Ｍ２のＹ方向側の壁が、スライダ２００の係合部２２０をＸ方向に押圧する。これにより、スライダ２００がＸ方向に傾斜すると共に、ランナー２５０がガイド路１３０から凹部１４０に挿入される。スライダ２００の傾斜によって、付勢部３００がＸ方向に部分的に屈曲する。その後、カードＭが排出位置に位置すると、カードＭの係合部２２０に対する押圧が解除されるため、スライダ２００が付勢部３００の復元力によって傾斜状態から傾斜前の状態に復帰し、スライダ２００の係合部２２０がカードＭの係合凹部Ｍ１に挿入されると共に、ランナー２５０が凹部１４０からガイド路１３０内に戻る。このようにして係合部２２０が係合凹部Ｍ１に係合される。これと同時に、スライダ２００の突部２６０がカードＭの嵌合凹部Ｍ２に嵌合する。
【００５７】
その後、カードＭを排出位置から接続位置にかけて移動させ、カードＭを接続位置を越えてＹ’方向に押し込む。これにより、下記ａ）〜ｃ）の通りとなる。ａ）スライダ２００のランナー２５０がガイド路１３０内をＹ’方向に移動する。ｂ）スライダ２００が移動路１２０内を第２位置から第１位置へ移動し、第１位置を越えてＹ方向側に押し込まれる。これにより、ハートカム機構Ｈがスライダ２００を第１位置で位置固定する。ｃ）付勢部３００が圧縮される。
【００５８】
カードＭに対する押圧が解除されると、付勢部３００の付勢力によって、スライダ２００が第１位置に押し戻され且つカードＭが接続位置に位置する。すると、カードＭの電極がカードコネクタＣ１の端子６００に各々接触する。このようにしてカードＭが接続位置でカードコネクタＣ１に接続される。
【００５９】
以下、図１Ａ〜図５Ｂに示されるカードコネクタＣ１からカードＭを取り出す手順について詳しく説明する。まず、カードＭを接続位置を越えてＹ’方向に押し込む。これにより、ハートカム機構Ｈのスライダ２００に対する位置固定が解除される。この位置固定の解除後、下記ａ）又はｂ）の通りとなる。
【００６０】
ａ）付勢部３００の付勢力によって、スライダ２００が第１位置から第３位置へと移動すると共に、スライダ２００のランナー２５０がガイド路１３０内をＹ方向に移動する場合、カードＭは、スライダ２００の突部２６０及び係合部２２０に押圧され、スライダ２００と共に、接続位置から排出位置へ移動する。スライダ２００が第３位置に位置し且つカードＭが排出位置に位置した後、カードＭをＹ方向に引っ張ると、スライダ２００の係合部２２０がカードＭの係合凹部Ｍ１のＹ’方向側の縁部に押圧され、スライダ２００がＸ方向に傾斜すると共に、スライダ２００のランナー２５０がガイド路１３０から凹部１４０内に挿入される。これにより、係合部２２０と係合凹部Ｍ１との係合が解除されるので、カードＭを排出位置でスロット１１０から容易に取り出すことができる。スライダ２００の傾斜によって、付勢部３００がＸ方向に部分的に屈曲する。その後、カードＭが取り出されると、スライダ２００が付勢部３００の復元力によって傾斜状態から傾斜前の状態に復帰し、ランナー２５０が凹部１４０からガイド路１３０内に戻る。
【００６１】
ｂ）付勢部３００の付勢力によって、スライダ２００が第１位置から第２位置へと移動すると共に、スライダ２００のランナー２５０がガイド路１３０内をＹ方向に移動する場合、カードＭは、スライダ２００の突部２６０及び係合部２２０に押圧され、スライダ２００と共に、接続位置から飛び出し防止位置へ移動する。この場合、下記ｂ−１）又はｂ−２）となる。
【００６２】
ｂ−１）第１当接部４００が第２位置でスライダ２００に当接する場合、スライダ２００が第２位置に位置すると、ｂ−１−１）及びｂ−１−２）の通りとなる。ｂ−１−１）第１当接部４００がＹ方向側から弾性的に当接する。この当接時に、付勢部３００の付勢力が、スライダ２００の係合部２２０をＸ’方向側（カードＭ側）に移動させるようにスライダ２００に対して作用する。ｂ−１−２）スライダ２００のランナー２５０がガイド路１３０の規制路１３１内に挿入され、変位規制部１３２にＸ’方向側から当接する。ｂ−１−１）及びｂ−１−２）によって、スライダ２００のＸ方向の傾斜が妨げられ、スライダ２００の係合部２２０とカードＭの係合凹部Ｍ１とが係合した状態が維持される。よって、カードＭが飛び出し防止位置でスロット１１０からＹ方向に飛び出すことが防止される。その後、スライダ２００が第２位置から第３位置へ戻る。付勢部３００は、外力が加えられていない状態で、スライダ２００が第３位置に位置するように設定されているからである。スライダ２００が第３位置に位置すると、上記の通り、カードＭを排出位置でスロット１１０から容易に取り出すことができる。
【００６３】
ｂ−２）第１当接部４００が第３位置でスライダ２００に弾性的に当接する場合、スライダ２００が第３位置から第２位置に移動する過程で、第１当接部４００がスライダ２００に押圧され、Ｙ方向に弾性変形する。スライダ２００が第２位置に位置すると、上記ｂ−１−１）及びｂ−１−２）の通りとなる。その後、スライダ２００が第１当接部４００の付勢力によって第２位置から第３位置へ押し戻される。付勢部３００の付勢力と第１当接部４００のＹ’方向への付勢力との均衡によってスライダ２００が第３位置に位置するように設定されているからである。スライダ２００が第３位置に位置すると、上記の通り、カードＭを排出位置でスロット１１０から容易に取り出すことができる。
【００６４】
以上のようなカードコネクタＣ１は、以下の技術的特徴及び効果を奏する。第１に、カードコネクタＣ１が大型化することなく、カードＭの飛び出しを抑制することができる。上記の通り、カードＭをスロット１１０から排出するための付勢部３００を利用して、第２位置のスライダ２００の係合部２２０とカードＭの係合凹部Ｍ１との係合を維持し、カードＭの飛び出しを抑制しているからである。また、ボディ１００のガイド路１３０が、規制路１３１及び変位規制部１３２を有している場合であっても、ガイド路１３０はボディ１００に設けられた溝とすることができ、変位規制部１３２は規制路１３１のＸ方向の壁とすることができるので、カードコネクタＣ１が大型化することがない。
【００６５】
第２に、カードコネクタＣ１の部品点数の低減でき、且つカードコネクタＣ１を小型化できる。上記従来例のカードコネクタの場合、カードＭの係合凹部Ｍ１との係合を維持するために、ロックバネの弾性力を利用している。このため、従来例のカードコネクタは、ロックバネが必須であり、スライダにロックバネの基部を保持させる必要がある。この場合、スライダのＹ−Ｙ’方向の寸法が、スライダがロックバネの基部を保持する部分の分大きくなる。これに対して、カードコネクタＣ１は、前述のとおり、付勢部３００の付勢力を利用してカードＭの飛び出しが抑制できるため、ロックバネを必須としない。よって、カードコネクタＣ１は、係合部２２０がスライダ本体２１０に一体的に設けられた構成とすることが可能である。この場合、カードコネクタＣ１は、ロックバネの分、部品点数を低減できる。しかも、スライダ２００のＹ−Ｙ’方向の寸法を、スライダ２００がロックバネの基部を保持する部分の分短くすることができるので、カードコネクタＣ１を小型化できる。また、第１当接部４００が、カバー５００に一体的に設けられた板バネである場合又はボディ１００の一部である場合も、カードコネクタＣ１の部品点数の低減できる。
【００６６】
第３に、カードコネクタＣ１の組み立てが容易になる。前述のとおり、カードコネクタＣ１の部品点数が低減されているからである。
【００６７】
第４に、第１当接部４００がカバー５００から延びる板バネである場合、第１当接部４００のぐらつきが防止される。なぜなら、第１当接部４００の基部４１０がボディ１００の支持部１５０に支持されているため、カードコネクタＣ１に外部から振動や衝撃が加わったとしても、当該振動や衝撃による第１当接部４００のぐらつきが防止される。
【実施例２】
【００６８】
以下、本発明の実施例２に係るカードコネクタＣ２について図６Ａ〜図６Ｂを参照しつつ説明する。カードコネクタＣ２は、付勢部３００’及びスライダ２００’の被付勢部２４０’の構成がカードコネクタＣ１の付勢部３００及びスライダ２００の被付勢部２４０の構成と相違する以外、カードコネクタＣ１と同様の構成である。以下、カードコネクタＣ２の相違点についてのみ詳しく説明し、カードコネクタＣ２の説明のうちカードコネクタＣ１の説明と重複するものについて省略する。図６Ａ〜図６Ｂにも、Ｙ−Ｙ’方向及びＸ−Ｘ’方向が、カードコネクタＣ１と同様に示されている。
【００６９】
スライダ２００’の被付勢部２４０’は、スライダ２００’の第２当接部２３０よりもＸ方向側に位置する部分であれば良い。被付勢部２４０’は、例えば、以下の１）〜４）の構成とすることが可能である。
【００７０】
１）スライダ２００’の収容孔２１３’のＹ方向の内面又はスライダ２００’のＹ’方向に向いた端面が、Ｙ方向及びＸ’方向の成分を含む方向に傾斜した傾斜面又は湾曲した湾曲面である場合、被付勢部２４０’は、傾斜面又は湾曲面のＸ方向の端部とすると良い。図６Ａには、収容孔２１３’のＹ方向の内面（傾斜面）のＸ方向の端部である被付勢部２４０’が示されている。
【００７１】
２）スライダ２００’の収容孔２１３’のＹ方向の内面又はスライダ２００’のＹ’方向に向いた端面が、Ｘ−Ｘ’方向にフラットな平坦面である場合、被付勢部２４０’は、平坦面のＸ方向の端部とすると良い。図６Ｂには、収容孔２１３’のＹ方向の内面（平坦面）のＸ方向の端部である被付勢部２４０’が示されている。
【００７２】
３）スライダ２００’の収容孔２１３’のＹ方向の内面又はスライダ２００’のＹ’方向に向いた端面が、Ｘ−Ｘ’方向にフラットな平坦面であり、且つ当該平坦面のＸ方向の端部に凸部が設けられている場合、被付勢部２４０’は、凸部とすると良い。
【００７３】
４）スライダ２００’の収容孔２１３’又はスライダ２００’のＹ’方向に向いた端面が、第２当接部２３０よりもＸ方向側に位置している場合、被付勢部２４０’は、収容孔２１３’のＹ方向の内面又はスライダ２００’のＹ’方向に向いた端面とすることが可能である。
【００７４】
付勢部３００’は、第２当接部２３０よりもＸ方向側で、被付勢部２４０’をＹ方向へ付勢する構成となっている。被付勢部２４０’が上記１）又は３）の構成である場合、付勢部３００’の先端部３１０’の先端面は、Ｘ−Ｘ’方向にフラットとすると良い。この場合、付勢部３００’の先端部３１０’の先端面のＸ方向の端部が、被付勢部２４０’を第２当接部２３０よりもＸ方向側で、被付勢部２４０’をＹ方向へ付勢する構成となっている。
【００７５】
被付勢部２４０’が上記２）の構成である場合、付勢部３００’の先端部３１０’の先端面は、Ｙ方向及びＸ方向の成分を含む方向に傾斜又は湾曲している、又は、付勢部３００’の先端部３１０’の先端面のＸ方向の端部が当該Ｘ方向の端部以外の部分よりもＹ方向に凸である。この場合、付勢部３００’の先端部３１０’の先端面のＸ方向の端部が、被付勢部２４０’を第２当接部２３０よりもＸ方向側で、被付勢部２４０’をＹ方向へ付勢する構成となっている。なお、被付勢部２４０’が上記１）又は３）の構成である場合であっても、付勢部３００’は、本段落の構成とすることが可能である。すなわち、傾斜又は湾曲した先端部３１０’の先端面のＸ方向の端部が、第２当接部２３０よりもＸ方向側で、上記１）又は３）の被付勢部２４０’をＹ方向へ付勢する構成とすることも可能である。
【００７６】
被付勢部２４０’が上記４）の構成である場合、付勢部３００’の先端部３１０’の先端面は、Ｘ−Ｘ’方向にフラットである。この場合、付勢部３００’の先端部３１０’の先端面が、被付勢部２４０’を第２当接部２３０よりもＸ方向側で、被付勢部２４０’をＹ方向へ付勢する構成となっている。
【００７７】
付勢部３００’によってスライダ２００’にかかるＹ方向への荷重（すなわち、付勢部３００’の付勢力）を第１荷重Ｌ１とする。スライダ２００’の第２当接部２３０が第１当接部４００に当接するときにスライダ２００’にかかるＹ’方向への荷重を第２荷重Ｌ２とする。第２当接部２３０は、被付勢部２４０’よりもＸ’方向側に位置するので、第２荷重Ｌ２は、第１荷重Ｌ１よりもＸ’方向側でスライダ２００’にかかる。第１荷重Ｌ１は第２荷重Ｌ２よりも大きい。このような構成であるため、スライダ２００’が第２位置に位置し且つ第１当接部４００に当接するときに、第１荷重Ｌ１及び第２荷重Ｌ２が係合部２２０をＸ’へ移動させるようにスライダ２００’に対して作用する。
【００７８】
上記したカードコネクタＣ２は、カードコネクタＣ１と同様に組み立てられる。このカードコネクタＣ２は、カードコネクタＣ１と同様にカードＭが接続可能であり且つ取り出し可能である。
【００７９】
以上のようなカードコネクタＣ２は、大型化することなく、カードＭの飛び出しを抑制することができる。上記の通り、カードＭをスロット１１０から排出するための付勢部３００’の付勢力である第１荷重Ｌ１と、スライダ２００’が第１当接部４００に当接するときに当該スライダ２００’にかかる第２荷重Ｌ２とを利用して、第２位置のスライダ２００’の係合部２２０とカードＭの係合凹部Ｍ１との係合を維持し、カードＭの飛び出しを抑制しているからである。また、カードコネクタＣ２は、カードコネクタＣ１と同様の理由で、ガイド路１３０が規制路１３１及び変位規制部１３２を有している場合であっても、大型化しない。更に、被付勢部２４０’が上記１）〜３）の何れかの構成であり且つ付勢部３００’が上記１）〜３）何れかの被付勢部２４０’に対応した構成である場合、カードコネクタＣ２のＸ−Ｘ’方向の大型化が抑制される。付勢部３００’は、被付勢部２４０’を付勢する部分が第２当接部２３０よりもＸ方向側に位置していれば良いため、付勢部３００’全体を第２当接部２３０よりもＸ方向側に位置させる必要がない。このため、スライダ２００’のＸ−Ｘ’方向の寸法の増大が抑制され、その結果、カードコネクタＣ２のＸ−Ｘ’方向の大型化が抑制される。
【００８０】
カードコネクタＣ２は、上記の通りカードＭの飛び出しを抑制するために、ロックバネを必須としないので、カードコネクタＣ１の第２〜第３技術的特徴を有する。また、カードコネクタＣ２は、カードコネクタＣ１の第４技術的特徴も有する。
【実施例３】
【００８１】
以下、本発明の実施例３に係るカードコネクタＣ３について図７を参照しつつ説明する。カードコネクタＣ３は、付勢部３００’’、スライダ２００’’の収容孔２１３’’及びスライダ２００’’の被付勢部２４０’’の構成がカードコネクタＣ１の付勢部３００、スライダ２００の収容孔２１３及びスライダ２００の被付勢部２４０の構成と相違する以外、カードコネクタＣ１と同様の構成である。以下、カードコネクタＣ３の相違点についてのみ詳しく説明し、カードコネクタＣ３の説明のうちカードコネクタＣ１の説明と重複するものについて省略する。図７にも、Ｙ−Ｙ’方向及びＸ−Ｘ’方向が、カードコネクタＣ１と同様に示されている。
【００８２】
スライダ２００’’の収容孔２１３’’は、Ｙ方向の端部を有している。収容孔２１３’’は、少なくともＹ方向の端部がＹ方向及びＸ’方向の成分を含む方向に湾曲している。スライダ２００’’の被付勢部２４０’’は、収容孔２１３’’のＹ方向の端面であって、Ｙ方向及びＸ方向の成分を含む方向に傾斜している。
【００８３】
付勢部３００’’は、収容孔２１３’’に部分的に収容されている。付勢部３００’’の少なくとも先端部３１０’’が収容孔２１３’’の湾曲に沿って湾曲している。先端部３１０’’が被付勢部２４０’’をＹ方向及びＸ’方向に付勢している。先端部３１０’’の先端面の略中心が、スライダ２００’’の第２当接部２３０よりもＸ方向側に位置している。
【００８４】
付勢部３００’’によってスライダ２００’’にかかる荷重は、Ｙ方向への荷重である第１分力Ｌ３１と、Ｘ’方向への荷重である第２分力Ｌ３２とを含む。スライダ２００’’の第２当接部２３０が第１当接部４００に当接するときにスライダ２００’’にかかるＹ’方向への荷重を第３荷重Ｌ４とする。第２当接部２３０が、付勢部３００’’の先端部３１０’’の先端面の略中心よりもＸ’方向側に位置しているので、第３荷重Ｌ４は、第１分力Ｌ３１よりもＸ’方向側でスライダ２００’’にかかる。第１分力Ｌ３１が、第３荷重Ｌ４よりも大きい。このような構成であるため、スライダ２００’’が第２位置に位置し且つ第１当接部４００に当接するときに、第１分力Ｌ３１及び第３荷重Ｌ４が係合部２２０をＸ’へ移動させるようにスライダ２００’’に対して作用するようになっている。スライダ２００’’が第２位置に位置し且つ第１当接部４００に当接するときに、第２分力Ｌ３２は、係合部２２０をＸ’へ移動させるようにスライダ２００’’に対して作用する補助力となる。
【００８５】
上記したカードコネクタＣ３は、カードコネクタＣ１と同様に組み立てられる。このカードコネクタＣ３は、カードコネクタＣ１と同様にカードＭが接続可能であり且つ取り出し可能である。
【００８６】
以上のようなカードコネクタＣ３は、大型化することなく、カードＭの飛び出しを抑制することができる。上記の通り、カードＭをスロット１１０から排出するための付勢部３００’’の付勢力である第１分力Ｌ３１及び第２分力Ｌ３２と、スライダ２００’’が第１当接部４００に当接するときに当該スライダ２００’’にかかる第３荷重Ｌ４とを利用して、第２位置のスライダ２００’’の係合部２２０とカードＭの係合凹部Ｍ１との係合を維持し、カードＭの飛び出しを抑制しているからである。また、カードコネクタＣ３は、カードコネクタＣ１と同様の理由で、ガイド路１３０が規制路１３１及び変位規制部１３２を有している場合であっても、大型化しない。
【００８７】
カードコネクタＣ３は、上記の通りカードＭの飛び出しを抑制するために、ロックバネを必須としないので、カードコネクタＣ１の第２〜第３技術的特徴を有する。また、カードコネクタＣ３は、カードコネクタＣ１の第４技術的特徴も有する。
【実施例４】
【００８８】
以下、本発明の実施例４に係るカードコネクタＣ４について図８を参照しつつ説明する。カードコネクタＣ４は、付勢部３００’’’、スライダ２００’’’及び第１当接部４００’の構成がカードコネクタＣ１の付勢部３００、スライダ２００及び第１当接部４００構成と相違する以外、カードコネクタＣ１と同様の構成である。以下、カードコネクタＣ４の相違点についてのみ詳しく説明し、カードコネクタＣ４の説明のうちカードコネクタＣ１の説明と重複するものについて省略する。図８にも、Ｙ−Ｙ’方向及びＸ−Ｘ’方向が、カードコネクタＣ１と同様に示されている。
【００８９】
スライダ２００’’’の被付勢部２４０’’’は、スライダ本体２１０の付勢部３００’’’によってＹ方向に付勢される部分である限り任意に設定可能である。例えば、スライダ本体２１０に収容孔２１３’’’が設けられている場合、被付勢部２４０’’’は、収容孔２１３’’’のＹ方向の内面とすることが可能である。収容孔２１３’’’は、Ｙ−Ｙ’方向に延びており且つＹ’方向に開口している。又は、被付勢部２４０’’’はスライダ本体２１０に設けられており且つＹ’方向側に向いた端面とすることが可能である。何れの場合も、被付勢部２４０’’’はＸ−Ｘ’方向に対してフラットである。被付勢部２４０’’’の第２当接部２３０に対するＸ−Ｘ’方向の位置は、任意に設定できる。
【００９０】
付勢部３００’’’は、第１位置に位置するスライダ２００’’’とボディ１００の移動路１２０のＹ’方向の壁との間に圧縮状態で介在したコイルスプリング又はゴム等の弾性体である。図８では、付勢部３００’’’はコイルスプリングである。この場合、付勢部３００’’’の図示しない後端部内には、移動路１２０のＹ’方向の壁の支柱１２１が挿入されていると良いが、これに限定されない。付勢部３００’’’は、第１位置に位置するスライダ２００’’’の被付勢部２４０’’’をＹ方向に移動させる付勢力を付与する。
【００９１】
第１当接部４００’は、スライダ２００’’’が移動路１２０内の第２位置に位置するときに、スライダ２００’’’にＹ方向側から当接するように、移動路１２０外又は移動路１２０内に配置されている。第１当接部４００’は、Ｙ方向及びＸ’方向の成分を含む方向に傾斜又は湾曲している。このように第１当接部４００’が傾斜又は湾曲しているため、スライダ２００’’’が第２位置に位置し且つ第１当接部４００’に当接したときに、付勢部３００’’’の付勢力がスライダ２００’’’の係合部２２０をＸ’方向へ移動させるようにスライダ２００’’’に対して作用する。第１当接部４００’は、前述の通り傾斜している以外、カードコネクタＣ１の第１当接部４００と同様の構成とすることが可能である。
【００９２】
以上のようなカードコネクタＣ４は、大型化することなく、カードＭの飛び出しを抑制することができる。上記の通り、傾斜又は湾曲した第１当接部４００’と、カードＭをスロット１１０から排出するための付勢部３００’’’の付勢力とを利用して、第２位置のスライダ２００’’’の係合部２２０とカードＭの係合凹部Ｍ１との係合を維持し、カードＭの飛び出しを抑制しているからである。また、カードコネクタＣ４は、カードコネクタＣ１と同様の理由で、ガイド路１３０が規制路１３１及び変位規制部１３２を有している場合であっても、大型化しない。
【００９３】
カードコネクタＣ４は、上記の通りカードＭの飛び出しを抑制するために、ロックバネを必須としないので、カードコネクタＣ１の第２〜第３技術的特徴を有する。また、カードコネクタＣ４は、カードコネクタＣ１の第４技術的特徴も有する。
【００９４】
なお、本発明のカードコネクタは、上記実施例に限定されるものではなく、特許請求の範囲の記載範囲において任意に設計変更することが可能である。以下、詳しく述べる。
【００９５】
本発明のカードは、本発明のカードコネクタのスロットに挿脱自在である限り、どのようなものであっても良い。例えば、本発明のカードは、上記したカード以外のメモリーカードや、ゲームプログラムなどが記録されたＲＯＭカード等とすることが可能である。本発明のカードは、本発明の係合部に係合可能な係合凹部を少なくとも有していると良いが、これに限定されるものではない。
【００９６】
上記カードコネクタＣ１〜Ｃ３は、第１当接部４００の代りに、第１当接部４００’を備えた構成とすることが可能である。第１当接部４００、４００’は、カバー５００の主板５１０ではなく、Ｘ方向側の側板５２０からＸ’方向に延びていても良い。
【００９７】
本発明のボディの移動路内には、少なくとも第１位置及び第２位置が設けられていれば良い。本発明のボディの移動路内の第１位置は、任意に設定可能である。本発明のボディの移動路内の第２位置は、上記した何れかの態様の第１位置よりもカードの排出方向（第１方向の一方）側に位置している限り、任意に設定可能である。
【００９８】
例えば、第２位置は、カードがスロットから排出可能な排出位置に位置するときに、スライダが位置する移動路内の位置とすることが可能である。この場合、移動路内の第２位置よりも排出方向側に第３位置を設けても良い。この第３位置は、カードがスロットからの飛び出しを防止される飛び出し防止位置に位置するときに、スライダが位置する移動路内の位置とすることが可能である。第１当接部は、スライダが第２位置から第３位置にかけて移動するときに、当該スライダに第１方向の一方に押圧され、弾性変形可能な弾性体とすることが可能である。スライダは、第２位置に位置するときに、ランナーがガイド路から凹部に挿入可能な構成とすることが可能である。スライダが第３位置に位置するときに、ランナーが規制路内に挿入され且つ変位規制部に第２方向の一方側から当接される構成とすることが可能である。本段落の構成は、上記実施例１〜４に適応可能である。
【００９９】
なお、上記実施例及び設計変形例におけるカードコネクタの各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。本発明の第１方向は、カードのカードコネクタのスロットに対する挿脱方向である限り任意に設定可能である。本発明の第２方向は、第１方向に交差している限り任意に設定可能である。
【符号の説明】
【０１００】
Ｃ１：カードコネクタ
１００：ボディ
１１０：スロット
１２０：移動路
１２１：支柱
１３０：ガイド路
１３１：規制路
１３２：変位規制部
１４０：凹部
１５０：支持部
２００：スライダ
２１０：スライダ本体
２１１：第１端部
２１２：第２端部
２１３：収容孔
２２０：係合部
２３０：第２当接部
２４０：被付勢部
２４１：第１部
２４２：第２部
２５０：ランナー
２６０：突部
３００：付勢部
３１０：先端部
３１１：第１端部
３１２：第２端部
３２０：後端部
４００：第１当接部
５００：カバー
６００：端子
Ｈ：ハートカム機構
Ｈ１：カム溝
Ｈ２：ピン
Ｍ：カード
Ｍ１：係合凹部
Ｍ２：嵌合凹部
Ｃ２：カードコネクタ
２００’：スライダ
２１０：スライダ本体
２１１：第１端部
２１２：第２端部
２１３’：収容孔
２２０：係合部
２３０：第２当接部
２４０’：被付勢部
３００’：付勢部
３１０’：先端部
Ｃ３：カードコネクタ
２００’’：スライダ
２１０：スライダ本体
２１１：第１端部
２１２：第２端部
２１３’’：収容孔
２２０：係合部
２３０：第２当接部
２４０’’：被付勢部
３００’’：付勢部
３１０’’：先端部
Ｃ４：カードコネクタ
２００’’’：スライダ
２１０：スライダ本体
２１１：第１端部
２１２：第２端部
２１３’’’：収容孔
２２０：係合部
２３０：第２当接部
２４０’’’：被付勢部
３００’’’：付勢部
３１０’’’：先端部
４００’：第１当接部
【図１Ａ】
2017126424.tif 000003
【図１Ｂ】
2017126424.tif 000004
【図１Ｃ】
2017126424.tif 000005
【図２Ａ】
2017126424.tif 000006
【図２Ｂ】
2017126424.tif 000007
【図３Ａ】
2017126424.tif 000008
【図３Ｂ】
2017126424.tif 000009
【図３Ｃ】
2017126424.tif 000010
【図４Ａ】
2017126424.tif 000011
【図４Ｂ】
2017126424.tif 000012
【図５Ａ】
2017126424.tif 000013
【図５Ｂ】
2017126424.tif 000014
【図６Ａ】
2017126424.tif 000015
【図６Ｂ】
2017126424.tif 000016
【図７】
2017126424.tif 000017
【図８】
2017126424.tif 000018